(57)【要約】【課題】通常は、高所への昇降用として使用でき、さらに緊急時において老人、婦女子、若年者などを安全に避難させる梯子として使用でき、さらに家屋破壊、余震被害などを避けるため屋外において臨時的に設営する場合においては簡易テントとして使用できる多目的梯子を提供する。【解決手段】一対の梯子支柱１ａ、１ｂの夫々の支柱両端近傍部には、支柱に沿って折りたたみ姿勢で固定、或いは支柱に対して直角に開脚姿勢で固定できるよう脚柱３ａ、３ｂ、３ｃ、３ｄの一端が枢着され、該脚柱の内部空間に回転芯軸により巻取り・巻戻しできるシート１０，１０ｂが収納されており、さらに、該一対の支柱の間に設けた複数の踏桟２を覆う矩形天井板２０を取り外し自在に配設できる構造を具備することを特徴としている。【選択図】  図７
2006183437.tif 000002
【特許請求の範囲】
【請求項１】
一対の支柱の間に複数の踏桟を設けた梯子であって、夫々の支柱両端近傍部には、支柱に沿って折りたたみ姿勢で固定、或いは支柱に対して直角に開脚姿勢で固定できるよう脚柱の一端が枢着され、該脚柱の内部空間に回転芯軸により巻取り巻戻りできるシートが収納されており、さらに、該一対の支柱の間に設けた複数の踏桟の全面を覆う矩形天井板を取り外し自在に配設できる構造を具備することを特徴とする多目的梯子。
【請求項２】
前記一対の支柱の片方、あるいは両方の内部空間に回転芯軸に巻取り巻き戻しできるシートが収納されていることを特徴とする請求項１に記載の多目的梯子。
【請求項３】
前記一対の支柱の間を長手方向に移動できる摺動板を配設したことを特徴する請求項１又は２に記載の多目的梯子。
【請求項４】
前記摺動板は、板上に回転芯軸に巻取り巻き戻しできるシートが配設されていることを特徴とする請求項３に記載の多目的梯子。
【発明の詳細な説明】
【技術分野】
【０００１】
本発明は、日常は高所作業時の梯子として使用し、災害等緊急時には簡易テント代替としても使用できる多目的梯子に関する。
【背景技術】
【０００２】
従来、一対の支柱の間に複数の踏桟を設けた梯子は、庭木などの剪定作業、家屋の屋根上への昇降に使用されている。また、火災、地震などの緊急避難用としても使用されているところである。これらの梯子を、単に高所への昇降用ばかりでなく、多目的に応用して利便化をはかるものとして特開平８−１９８０２４号公報（特許文献１）では梯子支柱の両端から適宜の位置で所定の角度で回動屈折するようにして、門型形状となし、洗車などの作業において脚立兼用の梯子として使用することが提案されている。この梯子は、折りたたんでワンボックスカーなどの装備してレジャー用多目的な用具としても使用される試みがなされている。
【０００３】
一般に、梯子は、もっぱら高所作業、緊急時の高所からの避難用として使用されるものであり、とくに、高所からの緊急避難時には人が安全に下降できることがより望まれるところであった。そして、これらの目的への使用時以外は、長く、広い保管場所を占有するものであるから、出来るだけ多目的に使用するよう梯子の効用を高めることは、近時の狭い土地、住宅事情から要望されていた。また、災害時には、住宅を離れて簡易宿泊できる空間を容易に確保することは、非常時の備えとして求められているところであった。
【特許文献１】特開平８−１９８０２４号公報
【発明の開示】
【発明が解決しようとする課題】
【０００４】
そこで、本発明の目的は、緊急時において老人、婦女子、若年者などを安全に非難させる梯子として使用でき、さらに家屋破壊、余震被害の避けるため屋外において臨時的に野営する場合においては簡易テントとして使用できる多目的梯子を提供することである。
家屋破壊などの緊急時において、屋外において寝所を確保するための組み立て部材は一般に存在しないから、庭先、家屋周辺といえども緊急に簡易テントを設営するのは難しい。梯子は、長尺であり一般に、屋外に保管される、そこでこの屋外において保管されるから家屋破壊時においても損傷被害を受ける恐れの少ない梯子を、必要に応じて臨時寝所としての簡易テント機能を付与できれば、非常に利便性の高いものとなる。
さらに、火災などの緊急時には上階から、避難者および荷物を安全に避難・下降させる用具としての効用を具備させることも本発明の課題である。
【課題を解決するための手段】
【０００５】
以上説明したような多目的の機能を具備する梯子の構成を次に説明する。
請求項１の多目的梯子は、一対の支柱の間に複数の踏桟を設けた梯子であって、夫々の支柱両端近傍部には、支柱に沿って折りたたみ姿勢で固定、或いは支柱に対して直角に開脚姿勢で固定できるよう脚柱の一端が枢着され、該脚柱の内部空間に回転芯軸により巻取り巻戻りできるシートが収納されており、さらに、該一対の支柱の間に設けた複数の踏桟の全面を覆う矩形天井板を取り外し自在に配設できる構造を具備することを特徴としている。
【０００６】
請求項２の多目的梯子は、請求項１において、前記一対の支柱の片方、あるいは両方の内部空間に回転芯軸に巻取り巻き戻しできるシートが収納されていることを特徴としている。
請求項３の多目的梯子は、請求項１又は２において、前記一対の支柱の間を長手方向に移動できる摺動板を配設したことを特徴としている。
請求項４の多目的梯子は、請求項３において、前記摺動板は、板上に回転芯軸に巻取り巻き戻しできるシートが配設されていることを特徴とする。
【発明の効果】
【０００７】
請求項１の多目的梯子は、一対の支柱の夫々の支柱両端近傍部に枢着された４本の脚柱を支柱に沿って折りたたみ固定した状態では、一般の梯子と同じく、作業者あるいは避難者が高所への昇降用として使用できる。この簡易テントとして使用する場合には、４本の脚柱は支柱に対して直角に開脚し、これらの脚柱先端を下向きにして出来るだけ平坦な地面に設置し、一対の支柱の長手方向が地面になるべく水平になるように配置する。本発明の多目的梯子では、緊急時には臨時的に寝所などとする簡易テントとしても使用できる。
【０００８】
これらの開脚した４本の脚柱で囲まれる直方体空間の側面を、脚柱の内部に収納されているロール状に巻取られたシートを、脚柱側面のスリットから同じ支柱の他端には枢着した脚柱に到達するまで巻戻して（繰り出して）１側面を覆うことが出来る。他の３側面も同じように脚柱から繰り出したシートにより覆うことができる。
さらに、開脚した４本の脚柱で囲まれる直方体空間の天井面、すなわち複数の踏桟を設けた一対の支柱の対置面を覆うように、矩形天井板を配設できる構造となっているから、別途準備された矩形天井板で上部面を覆いシートで密閉した直方体内部空間を作ることができ簡易テントとしての機能を発揮できる。
【０００９】
４本の脚柱を支柱に沿って折りたたみ固定した状態で、矩形天井板のみを一対の支柱間に配設することにより、高所からの緊急避難時において老人、幼年児、女性などは天井板面上を滑るような状態で降りることができる。また、高所への荷物の昇降においても、この天井板面の滑らせて降することができる。逆に、荷物などをロープで滑らしながら高所へ引き上げることが出来る。
【００１０】
請求項２の多目的梯子は、請求項１において、前記一対の支柱の片方、あるいは両方の内部空間に回転芯軸に巻取り巻き戻しできるシートが収納されている。従って、本発明の多目的梯子を簡易テントとして使用するとき、一対の支柱天井と、４本の脚柱で出来る直方体の１側面あるいは２側面の覆いを、支柱内に収納された巻取りシートを繰り出して覆うことができるものである。
【００１１】
請求項３の多目的梯子は、請求項１又は２において、前記一対の支柱の間を長手方向に移動できる摺動板を配設したことを特徴としている。本発明では梯子を高所に立掛けた状態での支柱間上面を、長手方向（上下傾斜方向）に摺動して移動可能な摺動板を具備しているから、この摺動板の上に物品を載せ高所へ昇降することが出来る。さらに、幼児、老人を高所から下降させる場合は、この摺動板の上にロープなどにより縛るなどして適宜固定すれば、安全に摺動させて下降させることができる。
請求項４の多目的梯子は、請求項３において、前記一対の支柱の間を長手方向に移動できる摺動板の板上に、回転芯軸に巻取り巻き戻しできるシートが配設されているから、本発明の多目的梯子の４本の脚柱を開脚し、簡易テントとして使用する場合に天井面の覆いシートとすることが出来る。
【発明を実施するための最良の形態】
【００１２】
次に、図面を用いて本発明の実施の形態を詳細に説明する。
図１は、本発明の多目的梯子の斜視図である。一対の支柱（１ａ、１ｂ）の間に複数の踏桟２が配設されている。一対の支柱の夫々の両端近傍には脚柱（３ａ、３ｂ、３ｃ、３ｄ）が支柱側面の枢着軸（４ａ、４ｂ、４ｃ、4ｄ）に回動できるように夫々枢着されている。同図では、夫々の脚柱は支柱に沿って折りたたみ固定されている。一対の支柱間の上面には摺動板５が取り外し自在に配設されている。摺動板５の支柱に直角な１側辺にはロープ６が取り付けられている。このロープは、摺動板５を高所へ摺動して引っ張り上げる時に使用することが出来る。また高所から下降速度をコントロールしながら降ろす時に使用することが出来る。これらの支柱、踏桟、脚柱の素材は剛性のある素材（例えば、アルミ合金、その他金属）が好適に使用される。
【００１３】
図１では、シートケース６を具備する摺動板５を取り付けた状態で示されているが、本発明の多目的梯子を、図９に示すように日常において高所（例えば、屋根４０）への人の昇降梯子として使用する場合は、この摺動板５は取り外した状態で使用する。
図２は、シートケース６を具備する摺動板５を一対の支柱上面に摺動自在に配設する構造を説明する側面図である。
夫々の支柱（１ａ、１ｂ）の踏桟側の上部角には、長手方向に沿ってガイド鍔（1ｃ、１ｄ）が設けられている。これらのガイド鍔に、摺動板の下部ガイド溝（５ａ、５ｂ）を嵌めて、摺動板５が、支柱上面を上下方向のみ自在に摺動する。
天井用シートは、シートの端部に設けられたシートガイド６ａを掴んで引き出され、シートケース６の側面の設けられた芯軸に直結した巻取り具６ｂで、内部に巻取り収納される。
【００１４】
図３は、摺動板５上に設けられたシートケース６の内部構造を説明する斜視図である。摺動板５上面のシートケース６の内部には、回転芯軸に巻取り巻戻しできる天井用シート６ｃが内蔵されている。多目的梯子を、簡易テントとして使用するときに、この天井用シート６ｃを摺動板上のシートケース６から繰り出し、梯子支柱間の複数の踏桟全面を覆うように使用する。
収納された天井用シート６ｃの先端には、繰り出すためのシートガイド６ａ取り付けられている。天井用シート６cを収納するときは、回転芯軸６ｄに直結した巻取り具６ｂを手で回転させ天井用シート６cを巻き取る。  
図４（ａ）、（ｂ）は、シートケース６を具備しないタイプの摺動板５を２方向からの見た斜視図である。ガイド溝（５ａ、５ｂ）は、摺動板の裏面に摺動方向に平行に設けられ、摺動板が摺動時に横揺れ、脱落しないような構造としている。
本発明の多目的梯子において、摺動板を使用して人が下降する使用法を示したものが図１１である。同図に示すように使用者は摺動板に腰掛けても良いし、老人、幼児などの場合必要に応じてロープなどで縛り脱落しないようにすることも出来る。さらに、図１２は摺動板を利用して、荷物などを下降、または引き上げする使用法を示したものである。この場合も必要に応じて、ロープで荷物を縛り固定する。
【００１５】
図５は、本発明の多目的梯子を緊急時に簡易テントとして使う場合の設営の経過を示す斜視図である。先ず、一対の支柱の両端に取り付けられた４本の脚柱（３ａ、３ｂ、３ｃ、３ｄ）が支柱に直角になるまで開かれ、設置面（例えば、地面）に立脚される。そして、一対の支柱の間を天井面とし、４本の脚柱でできる４面を側面とする直方体空間ができる。
図６は、前記直方体空間の４側面を囲むためのロール巻シート収納構造を説明する斜視図である。同図（ａ）は、脚柱３ｄの側面のスリット１３を通して内部に収納されていたシート１０を繰り出している状態を示したものである。シート先端部にはガイド棒１０ａが設けられ、引き出すとき手で掴みシートを容易に繰り出すことが出来るようになっている。
【００１６】
シート素材としては、木綿（コットン）などの天然繊維と人工繊維（化繊）が使用される。化繊の種類としては、ポリアミド（ＰＡ）、通称ナイロンとポリエステル（ＰＥ）、ビニールシートが好適に使用できる。ナイロンは引き裂き強度に優れ、伸縮性もあるのでシートをきれいに張ることができる。ポリエステルは伸縮性には欠けるが、ナイロンよりも強く、紫外線による劣化も少ない利点がある。その他、ＰＶＣ（塩ビ）が使われるが、ＰＶＣはほぼ完全防水で、しかも丈夫であるが、重いのが難点である。
【００１７】
図６（ｂ）は、脚柱内部空間のロールシートの収納構造を説明したものである。同図は、内部空間が理解しやすいように脚柱の支柱への枢着部付近から切断した状態の斜視図である。シートを巻取る芯軸１１ｂは上部固定版１２と脚柱下部の底板１４の間に回転自在に軸着される。そして、芯軸の最下端は巻取り円盤１１ａに固定される。同図（ｂ）において、シートを矢印方向に回転し脚柱内に収納するときは、脚柱下部の巻取り円盤１１ａを手で矢印方向に回す。
【００１８】
図７（ａ）は、本発明の多目的梯子を簡易テントとして使用する場合の天井に使用する矩形天井板２０の斜視図である。この矩形天井板は、木製（合板など含む）、プラスチックス、金属板などが好適に用いられる。また、必要に応じて長手方向の全長を適宜分割しても良い。さらに、同図（ｂ）は矩形天井板を一対の支柱間に配設した状態の側面図である。矩形天井板２０は支柱のガイド鍔１ｃ、１ｄと、踏桟の間隙にフィットするように配設される。矩形天井板２０は、適宜の間隔に設けられた複数の踏桟に板底を支えられ補強された状態となっている。したがって、緊急避難時に避難者が滑り降りたり、重量物を滑らせて下降させたりしても十分耐えることができる。同図（ｂ）において、側面を覆うシート１０ｂは、脚柱４ｂの内部に収納されていたシートを繰り出したものである。
【００１９】
図８は、梯子支柱（１ａ、１ｂ）と４本の脚柱で囲まれる直方体空間を矩形天井板２０とシート１０及びシート１０ｂで側面を覆った状態の斜視図である。同図において直方体右側面は脚柱３ｄの内部に収納されたシート１０で覆い、この面は出入り口として使用される。直方体の他の３側面は、脚柱３ｂの内部に収納されたシート１０ｂを繰り出して覆う。側面を覆うシートは、適宜の間隔で設けられた留め具（３０、３０ａ、３０ｂ、３０ｃとして例示）により、支柱及び脚柱に固定される。
【００２０】
図９は、本発明の多目的梯子を簡易テントとして使用する形態において、脚柱に収納されたシートに代えて、支柱の内部空間に収納されたシートを下方に繰り出して覆う場合を示している。
側面を脚柱からのシートで覆うか、あるいは支柱からのシートで覆うかは適宜選択することが出来る。支柱から繰り出す方式とした場合は、その側面の脚柱の内部にシートを収納する構造とする必要はない。必要に応じて、どの側面を支柱シート収納構造にするか脚柱シート収納構造とするかを選択すればよい。
天井面は、矩形天井板に代えてシートケース６を具備する摺動板５から天井用シート６aを繰り出して覆った状態を示している。摺動板を同図支柱の右端に配置し、シートガイド６ａにより天井用シート６ｃを繰り出して、天井全面を覆うことが出来る。
【産業上の利用可能性】
【００２１】
本発明の多目的梯子は、通常は高所への昇降用具として使われる。特に、摺動板、天井板を具備しているから荷物などを滑り昇降できるので安全な昇降用具として優れている。さらに、火災、地震など緊急時には、屋外の簡易テントとしての寝所空間を設営することができるもので多目的梯子として日常生活において極めて利便性の高いものである。
【図面の簡単な説明】
【００２２】
【図１】本発明の実施の形態の斜視図である。
【図２】本発明の実施の形態の側面図である。
【図３】本発明の実施の形態のシートケース付摺動板の斜視図ある。
【図４】本発明の実施の形態の構成部材である摺動板の斜視図である。
【図５】本発明の実施の形態の梯子脚柱を開脚した姿勢の斜視図である。
【図６】本発明の実施の形態の梯子脚柱のシート収納構造を示す斜視図である。
【図７】本発明の実施の形態の構成部材である天井板の斜視図とその配設構造を示す側面図である。
【図８】本発明の実施の形態の梯子を簡易テントとして設営した状態を示す斜視図である。
【図９】本発明の実施の形態の梯子の簡易テントとして設営した状態を示す斜視図である。
【図１０】本発明の実施の形態の梯子の通常使用状態を示す説明図である。
【図１１】本発明の実施の形態の梯子の摺動板の使用状態を示す説明図である。
【図１２】本発明の実施の形態の梯子の摺動板の使用状態を示す説明図である。
【符号の説明】
【００２３】
１ａ、１ｂ              …  支柱
１ｃ                    …  ガイド鍔
２                      …  踏桟
３ａ、３ｂ、３ｃ、３ｄ  …  脚柱
４ａ、４ｂ、４ｃ、４ｄ  …  枢着軸
５                      …  摺動板
５ａ                    …  ガイド溝
６                      …  シートケース
６ａ                    …  シートガイド
６ｂ                    …  巻取り具
６ｃ                    …  天井用シート
６ｄ                    …  芯軸
７                      …  ロープ
１０                    …  シート
１０ａ                  …  ガイド棒
１０ｂ                  …  シート
１１ａ                  …  巻取り円盤
１１ｂ                  …  芯軸
１２                    …  上部固定板
１３                    …  スリット
１４                    …  底板
２０                    …  矩形天井板
３０、３０ａ、３０ｂ、３０ｃ  …  留め具
４０                    …  屋根
【図１】
2006183437.tif 000003
【図２】
2006183437.tif 000004
【図３】
2006183437.tif 000005
【図４】
2006183437.tif 000006
【図５】
2006183437.tif 000007
【図６】
2006183437.tif 000008
【図７】
2006183437.tif 000009
【図８】
2006183437.tif 000010
【図９】
2006183437.tif 000011
【図１０】
2006183437.tif 000012
【図１１】
2006183437.tif 000013
【図１２】
2006183437.tif 000014